(57)【要約】【課題】各種商品の多品種小ロットキャンペーン企画ツール制作実施システムであって、複数（多数）の業者が参加して行うキャンペーン業務において取り扱う多品種で小ロットのキャンペーンツールの制作作業を円滑に効率よく実施できるようにするとともに、キャンペーン業務の進行管理やキャンペーンツールの進捗管理を正確に実施できるようにすることにある。【解決手段】インターネット等のネットワーク回線Ｎを介して接続するキャンペーン実施社側の端末機Ａ（Ａ1 、Ａ2 、Ａ3 、・・・Ａn ）と、キャンペーン共同実施社側の端末機Ｂと、キャンペーン企画デザイン社側の端末機Ｃ、キャンペーンツール制作社側の端末機Ｄと、前記各端末機Ａ、Ｂ、Ｃ、Ｄにネットワーク接続するデータサーバＳ及びデータベースＤＢとを備える。【選択図】図４
2008234121.tif 000002
【特許請求の範囲】
【請求項１】
インターネット等のネットワーク回線Ｎを介して接続するキャンペーン実施社側の端末機Ａ（Ａ1 、Ａ2 、Ａ3 、・・・Ａn ）と、キャンペーン共同実施社側の端末機Ｂと、キャンペーン企画デザイン社側の端末機Ｃ、キャンペーンツール制作社側の端末機Ｄと、前記各端末機Ａ、Ｂ、Ｃ、Ｄにネットワーク接続するデータサーバＳ及びデータベースＤＢとを備え、
ａ）キャンペーン実施社側の端末機Ａが、前記端末機Ｂ、Ｃ、Ｄのいずれかにネットワークを介してアクセスし、キャンペーン商品のキャンペーン企画、キャンペーンツールの構造デザインなどに関して互いに打合せ、前記端末機Ａのデザイン作成手段１にてキャンペーンの企画、キャンペーンツールの構造デザイン、ツールの原稿データを作成決定するキャンペーン企画決定段階と、
ｂ）決定したキャンペーン企画、キャンペーンツールの構造デザイン、ツール原稿などキャンペーン商品に関するキャンペーン商品データを前記端末機Ａの商品データ登録手段２にて登録する段階と、
ｃ）登録したキャンペーン商品データに基づいて、前記端末機Ａのスケジュール管理手段３にてキャンペーン実施スケジュールやツール制作スケジュールを作成し、スケジュールを管理する段階と、前記端末機Ａの
ｄ）前記デザイン作成手段１にて作成進行中又は校正中又は最終決定（校了）のツールの構造デザイン、原稿データを、作成進行中又は校正中又は最終決定の各項目毎に前記端末機Ａのデータ登録手段４にて登録する段階と、
ｅ）データ登録手段４にて登録された作成進行中又は校正中又は最終決定されたツールの構造、デザイン、原稿データ、校正データ、及び作成進行中又は校正中又は最終決定などの進行状況を、前記端末機Ａの作成進行データ確認手段５にて確認する段階と、
ｆ）前記端末機Ａの商品データ登録手段２、スケジュール管理手段３、データ登録手段４、作成進行データ確認手段５などにより得られるツールの構造・デザインデータ、ツール制作スケジュールデータ、登録データ、作成進行（進捗）内容データ等を、実施社の前記端末機Ａ及び共同実施社の前記端末機Ｂの社内閲覧手段７にてイントラネット等の社内ネットワークＮIRを介して閲覧する段階と、
ｇ）前記作成進行データ確認手段５により確認されたツールの構造・デザイン・原稿データに基づいて、前記端末機Ａから前記端末機Ｃ、Ｄに対してアクセスして修正・校正・校了指示手段６にて修正・校正の指示を行う段階と、
ｈ）前記端末機Ａの修正・校正指示手段６にて指示された修正・校了（責了）の指示に基づいて前記端末機Ｃ、Ｄにてデザイン作成手段１にて作成決定されているキャンペーンの企画、キャンペーンツールの構造デザイン、ツール原稿の修正・校正を行う段階と、
ｉ）前記端末機Ｃ、Ｄから修正・校正されたキャンペーンの企画、キャンペーンツールの構造デザイン、ツール原稿等のデータを前記端末機Ａに送信し、該データに基づいて該端末機Ａのデザイン作成手段１にて修正・校正後のキャンペーンの企画、キャンペーンツールの構造デザインを作成決定する段階と、
ｊ）前記デザイン作成手段１により作成決定された修正・校正後のキャンペーンの企画、キャンペーンツールの構造デザイン、ツール原稿を前記作成進行データ確認手段５により確認し、確認された修正・校正後のキャンペーン企画、ツール構造デザイン、ツール原稿データに基づいて、前記端末機Ａから前記端末機Ｃ、Ｄに対してアクセスして修正・校正・校了指示手段６にて校了（責了）の指示を送信する段階と、
ｋ）前記端末機Ａにて校了（責了）となったキャンペーン企画、ツール構造デザイン、ツール原稿データを、該端末機Ａのデータ登録手段４に登録する段階と、
ｌ）前記端末機Ｃ、Ｄが受信した校了（責了）となったキャンペーンの企画、キャンペーンツールの構造デザイン、ツール原稿に基づいて、ツール制作社がキャンペーンツールの制作を開始する段階と、
ｍ）データ登録手段４にて登録された作成進行中又は校正中のツール制作進行状況を前
記端末機Ａの作成進行データ確認手段５にて制作完了まで確認する段階と、
から構成されることを特徴とする多品種小ロットキャンペーン企画ツール制作実施システム。
【請求項２】
前記各端末機Ａ、Ｂ、Ｃ、Ｄにネットワーク接続するデータサーバＳ及びデータベースＤＢが、端末機Ａ（Ａ1 、Ａ2 、Ａ3 、・・・Ａn ）のいずれかの１台に接続、又はイントラネットによるネットワークを介して接続して、各端末機Ａ、Ｂ、Ｃ、Ｄにネットワーク接続していることを特徴とする請求項１記載の多品種小ロットキャンペーン企画ツール制作実施システム。
【請求項３】
前記各端末機Ａ、Ｂ、Ｃ、Ｄにネットワーク接続するデータサーバＳ及びデータベースＤＢが、インターネットによるネットワーク上のサービスサイトを介して接続して、各端末機Ａ、Ｂ、Ｃ、Ｄにネットワーク接続していることを特徴とする請求項１記載の多品種小ロットキャンペーン企画ツール制作実施システム。
【発明の詳細な説明】
【技術分野】
【０００１】
本発明は、多品種で小ロットの各種商品のキャンペーン業務等において、各種商品の企画開発や販売促進業務、あるいは正式な販売業務と同時期に進行する商品キャンペーンツールの制作作業や商品キャンペーン運用を支援するための多品種小ロットキャンペーン企画ツール制作実施システムに関する。
【背景技術】
【０００２】
一般に、商品の企画開発や販売促進業務あるいは正式な販売業務と同時期に進行する各種商品のキャンペーン業務には、販売業社と小売業社、あるいは製造業社を含めた販売業社と小売業社とが互いにタイアップして行う応募形式のキャンペーンがある。
【０００３】
これらの応募形式のキャンペーン業務においては、そのキャンペーンに参加する業社は数十社の規模になり、数十社が担当するキャンペーンツール等の制作ロットの種類は多種になり易く、且つ１つの小売業社当たりのキャンペーンツール等の制作ロットは非常に小ロットになり易いものである。そのために、キャンペーンに使用するキャンペーンツール等の種類は自ずと多品種小ロットになり、場合によってはキャンペーン期間も短めのキャンペーンとなる。
【０００４】
さらに、各商品のキャンペーンがほぼ同時期に進行することが多いので、キャンペーンツールの制作においては、いずれのデザイン原稿がツールデザインとしての最終原稿であるのか分からなくなってしまう場合がある。また、販売業社と複数の小売業社との打ち合わせの時間がなかなか取れなくて、キャンペーン業務自体やキャンペンツール制作の進行が遅れ気味となり易い。また、ツールデザインの原稿の回覧が戻って来なかったり、現時点で何処の部署を回覧されているのか判らず、原稿の修正指示が正確に伝わらず、間違ってツールの印刷や制作加工が行われるなどの問題が発生してしまい、キャンペーン業務の進行管理やキャンペーンツールの進捗管理が正確に行えなくなる。
【０００５】
下記に本発明に関連する先行技術文献を記載する。
【特許文献１】特開２００２−２７９２６８号公報
【発明の開示】
【発明が解決しようとする課題】
【０００６】
本発明は、各種商品の商品キャンペーンツールの制作作業や商品キャンペーン運用を支援するための多品種小ロットキャンペーンサービスにおける多品種小ロットキャンペーン企画ツール制作実施システムであって、複数（多数）の業者が参加して行うキャンペーン業務において取り扱う多品種で小ロットのキャンペーンツールの制作作業を円滑に効率よく実施できるようにするとともに、キャンペーン業務の進行管理やキャンペーンツールの進捗管理を正確に実施できるようにすることにある。
【課題を解決するための手段】
【０００７】
本発明の請求項１に係る発明は、                                                
インターネット等のネットワーク回線Ｎを介して接続するキャンペーン実施社側の端末機Ａ（Ａ1 、Ａ2 、Ａ3 、・・・Ａn ）と、キャンペーン共同実施社側の端末機Ｂと、キャンペーン企画デザイン社側の端末機Ｃ、キャンペーンツール制作社側の端末機Ｄと、前記各端末機Ａ、Ｂ、Ｃ、Ｄにネットワーク接続するデータサーバＳ及びデータベースＤＢとを備え、
ａ）キャンペーン実施社側の端末機Ａが、前記端末機Ｂ、Ｃ、Ｄのいずれかにネットワークを介してアクセスし、キャンペーン商品のキャンペーン企画、キャンペーンツールの構造デザインなどに関して互いに打合せ、前記端末機Ａのデザイン作成手段１にてキャンペーンの企画、キャンペーンツールの構造デザイン、ツールの原稿データを作成決定するキャンペーン企画決定段階と、
ｂ）決定したキャンペーン企画、キャンペーンツールの構造デザイン、ツール原稿などキャンペーン商品に関するキャンペーン商品データを前記端末機Ａの商品データ登録手段２にて登録する段階と、
ｃ）登録したキャンペーン商品データに基づいて、前記端末機Ａのスケジュール管理手段３にてキャンペーン実施スケジュールやツール制作スケジュールを作成し、スケジュールを管理する段階と、前記端末機Ａの
ｄ）前記デザイン作成手段１にて作成進行中又は校正中又は最終決定（校了）のツールの構造デザイン、原稿データを、作成進行中又は校正中又は最終決定の各項目毎に前記端末機Ａのデータ登録手段４にて登録する段階と、
ｅ）データ登録手段４にて登録された作成進行中又は校正中又は最終決定されたツールの構造、デザイン、原稿データ、校正データ、及び作成進行中又は校正中又は最終決定などの進行状況を、前記端末機Ａの作成進行データ確認手段５にて確認する段階と、
ｆ）前記端末機Ａの商品データ登録手段２、スケジュール管理手段３、データ登録手段４、作成進行データ確認手段５などにより得られるツールの構造・デザインデータ、ツール制作スケジュールデータ、登録データ、作成進行（進捗）内容データ等を、実施社の前記端末機Ａ及び共同実施社の前記端末機Ｂの社内閲覧手段７にてイントラネット等の社内ネットワークＮIRを介して閲覧する段階と、
ｇ）前記作成進行データ確認手段５により確認されたツールの構造・デザイン・原稿データに基づいて、前記端末機Ａから前記端末機Ｃ、Ｄに対してアクセスして修正・校正・校了指示手段６にて修正・校正の指示を行う段階と、
ｈ）前記端末機Ａの修正・校正指示手段６にて指示された修正・校了（責了）の指示に基づいて前記端末機Ｃ、Ｄにてデザイン作成手段１にて作成決定されているキャンペーンの企画、キャンペーンツールの構造デザイン、ツール原稿の修正・校正を行う段階と、
ｉ）前記端末機Ｃ、Ｄから修正・校正されたキャンペーンの企画、キャンペーンツールの構造デザイン、ツール原稿等のデータを前記端末機Ａに送信し、該データに基づいて該端末機Ａのデザイン作成手段１にて修正・校正後のキャンペーンの企画、キャンペーンツールの構造デザインを作成決定する段階と、
ｊ）前記デザイン作成手段１により作成決定された修正・校正後のキャンペーンの企画、キャンペーンツールの構造デザイン、ツール原稿を前記作成進行データ確認手段５により確認し、確認された修正・校正後のキャンペーン企画、ツール構造デザイン、ツール原稿データに基づいて、前記端末機Ａから前記端末機Ｃ、Ｄに対してアクセスして修正・校正・校了指示手段６にて校了（責了）の指示を送信する段階と、
ｋ）前記端末機Ａにて校了（責了）となったキャンペーン企画、ツール構造デザイン、ツール原稿データを、該端末機Ａのデータ登録手段４に登録する段階と、
ｌ）前記端末機Ｃ、Ｄが受信した校了（責了）となったキャンペーンの企画、キャンペーンツールの構造デザイン、ツール原稿に基づいて、ツール制作社がキャンペーンツールの制作を開始する段階と、
ｍ）データ登録手段４にて登録された作成進行中又は校正中のツール制作進行状況を前記端末機Ａの作成進行データ確認手段５にて制作完了まで確認する段階と、
から構成されることを特徴とする多品種小ロットキャンペーン企画ツール制作実施システムである。
【０００８】
本発明の請求項２に係る発明は、
上記請求項１に係る多品種小ロットキャンペーン実施システムにおいて、前記各端末機Ａ、Ｂ、Ｃ、Ｄにネットワーク接続するデータサーバＳ及びデータベースＤＢが、端末機Ａ（Ａ1 、Ａ2 、Ａ3 、・・・Ａn ）のいずれかの１台に接続、又はイントラネットによるネットワークを介して接続して、各端末機Ａ、Ｂ、Ｃ、Ｄにネットワーク接続していることを特徴とする多品種小ロットキャンペーン企画ツール制作実施システムである。
【０００９】
本発明の請求項３に係る発明は、
上記請求項１に係る多品種小ロットキャンペーン実施システムにおいて、前記各端末機Ａ、Ｂ、Ｃ、Ｄにネットワーク接続するデータサーバＳ及びデータベースＤＢが、インターネットによるネットワーク上のサービスサイトを介して接続して、各端末機Ａ、Ｂ、Ｃ、Ｄにネットワーク接続していることを特徴とする多品種小ロットキャンペーン企画ツール制作実施システムである。
【発明の効果】
【００１０】
本発明の多品種小ロットキャンペーン企画ツール制作実施システムによれば、キャンペーンツールのデザインの設定には、デザインの雛形として、各種の雛形データが用意される。その中から最適な雛形データを選定するので、キャンペーン１案件毎に掛かるデザイン費用を低く抑えることができ、デザイン制作時間も短縮することができる。また、新規に制作したキャンペーンツールのデザインは雛形データとして保存処理するため、デザインの雛形は新規にキャンペーンを行う毎に増えて行き、また本発明のシステムサービス利用者が選択できる雛形データがキャンペーンサービスを行う毎に充実するものである。
【００１１】
また、インターネット等のネットワーク通信回線を利用してデザインデータの受け渡しを行うので、ツール制作会社の担当者がツール制作依頼者にデザイン原稿等を持ち運ぶ手間が省け、原稿の輸送時間等の節約を図ることができる。
【００１２】
また、ネットワーク通信回線によってキャンペーン業務担当者全員に同時にデータを配信することができるため、従来のような回覧（担当者が順番に原稿を見ていく）方式よりも迅速に原稿等に関する業務進捗内容を確認することができ、原稿等の業務進捗内容を確認するのに必要な時間を大幅に短縮することができる。
【００１３】
また、原稿等に関する業務データや進捗データが配信された時点で、同時にＥメールが配信されるので、原稿等の業務データや進捗データを受信した担当者は、原稿等の業務に関する物品が送られたか否か、あるいは届いたか否かを、一々気に掛ける必要はなく、また、原稿を送信した担当者も、原稿等の業務に関する物品を送ったか否か、一々気に掛ける必要がない。
【００１４】
このように、本発明の多品種小ロットキャンペーン企画ツール制作実施システムによれば、キャンペーン業務のスケジュール管理機能によって各業務の進捗状況をシステム上にて迅速に確認でき、各キャンペーンツール制作業社の担当者に進捗を問い合わせる等の手間や時間が省力化でき、従来ではコストや作業負荷が大きいために対応できなかった多品種小ロットのキャンペーン業務を、簡単に短かい納期にて、比較的低価格で対応することが可能になり、キャンペーン業務スケジュール管理手段として、またキャンペーン業務ビジネスモデルとして極めて効果的である。
【発明を実施するための最良の形態】
【００１５】
本発明の多品種小ロットキャンペーン企画ツール制作実施システムを、その実施の形態に沿って以下に詳細に説明する。
【００１６】
本発明システムの対象とするキャンペーン形態（タイプ）としては、例えば、はがき応募型、店頭応募型、スピード籤（はがき）型、スピード籤（店頭完結）型、ベタ付け型などがある。
【００１７】
はがき応募型とは、キャンペーン対象商品又はその商品を含む所定の金額（円）以上のレシートをはがきに貼って郵便にて応募すると、抽選で景品（景品最高額；景表法による）が当たるタイプの懸賞キャンペーンであり、店頭応募型とは、キャンペーン対象商品又はその商品を含む所定の金額（円）以上のレシートを店頭のレジにある応募用紙に貼って店頭の応募箱に応募すると、抽選で景品が当たるタイプの懸賞キャンペーンであり、スピード籤（はがき）型とは、キャンペーン対象商品に貼られているスピード籤を開いて「当たり」が出たら、はがきを郵送して応募すると、抽選で景品が当たるタイプの懸賞キャンペーンであり、スピード籤（店頭完結）型とは、キャンペーン対象商品の購入者に店頭のレジ等にて籤箱からスピード籤を引いてもらい、「当たり」が出たら、その場で景品をプレゼントするタイプの景品キャンペーンであり、ベタ付け型とは、キャンペーン対象商品に景品を貼付するタイプの総付け景品キャンペーンである。
【００１８】
本発明においてキャンペーンを実施する実施事務局としては、キャンペーンを企画するキャンペーン商品の製造販売卸業社（メーカー）又はキャンペーン企画サービス提供社又はキャンペーン商品を小売り販売する販売店（販売社、店舗）等、又はそれら各社のうちのいずれかが担当することができる。
【００１９】
図１は、本発明システムにおいて実施対象のキャンペーンのうち、はがき応募型キャンペーンにおけるキャンペーン商品購入者（お客様）とキャンペーン事務局との間のやり取りを説明するフローチャート図の一例である。
【００２０】
＜ステップＳ１＞
まず、売出しキャンペーン実施中の店頭（売場）にて、お客様がキャンペーン対象商品又は対象商品を含む商品を購入し、売場のレジにて、その商品代金のレシート（領収書）を受け取る。
【００２１】
＜ステップＳ２＞
お客様は、その売場レジにてキャンペーン応募はがきを受け取り持ち帰る。
【００２２】
＜ステップＳ３＞
お客様は、その応募はがきに、対象商品代金のレシート又は対象商品を含む商品代金のレシートを貼って、そのキャンペーン事務局に郵送で応募する。
【００２３】
＜ステップＳ４＞
キャンペーン事務局は、各々お客様から届いた応募はがきの中から抽選で当選者を決定する。                              
【００２４】
＜ステップＳ５＞
キャンペーン事務局は、当選者に景品を発送する。
【００２５】
＜ステップＳ６＞
景品が商品券である場合には、お客様は次回購入時に、その商品券を使用するために再度来店することを促進する。
【００２６】
本発明システムにおいてキャンペーン実施に必要な決定事項としては、企画タイトル、実施店舗数、応募期間、応募条件、対象商品、景品、当選者数、制作ツール、制作数量、ツールの店舗到着日、売場イメージ（商品の陳列、ツールの配置等）などである。
【００２７】
本発明システムにおいて実施対象のはがき応募型キャンペーン案（企画案）の一例を以
下に説明すれば、例えば、図２のリスト形式表に示すように、○○○○店様に対するオリジナルキャンペーン（案）として、○○○○店様（販売店）と□□□製造販売社様（メーカー）との共同企画としては、「○○○○商品を当てよう。キャンペーン」のキャッチフレーズにてキャンペーンを企画する。そのキャンペーン実施事務局としては、前記キャンペーン共同企画したキャンペーン商品小売り販売店と、そのキャンペーン商品の製造、販売卸業社（メーカー）、あるいはキャンペーン企画サービス提供社が受け持つ。
【００２８】
その企画内容としては、「○○○○店様オリジナル企画として□□□□□□商品を購入されたお客様に抽選で○○○○○○○が当たるキャンペーンを実施します。」とする。キャンペーン期間としては、「２０ＸＸ年００月００日（○曜日）〜００月００日（○曜日）、当日消印有効」とする。
【００２９】
キャンペーン実施の景品としては、「○○○○様商品券、０，０００円分（００名様）／０，０００円分（００名様）」とする。キャンペーン対象商品は「□□□□□□商品」とする。
【００３０】
キャンペーン実施において使用するキャンペーンツールとしては「応募はがき」、「トップボード」、「短冊ポスター」、「ポスター（Ａ２判サイズ）」、「スイング形式ＰＯＰ（アイキャッチャー）」、商品、棚等の「仕切りＰＯＰ」などである。
【００３１】
キャンペーン業務スケジュールとしては、その実施方針として、例えば、「キャンペーン対象の□□□□□□商品の最需要期に先がけて早めの展開で売場を活性化。」とし、また、「景品発送を００月下旬に設定し、当選者の継続来店を促す。」とする。
【００３２】
そのキャンペーン業務のスケジュールとしては、同図２のように、キャンペーン実施店である○○○○店様（販売店）又は／及びキャンペーン対象の□□□□□□商品の□□□製造販売社様（メーカー）の「ご提案、打ち合わせ」から、キャンペーンスケジュール、キャンペーン実施内容、キャンペーンツール決定、ツール制作、キャンペーン実施、景品発送（開始日から終了日）までを日程に入れてスケジューリングする。
【００３３】
上記はがき応募型のキャンペーン業務の実施形態の一例を、図３に示すフローチャート図に基づいて以下に説明する。
【００３４】
＜ステップＳ１＞
まず、キャンペーン実施店である○○○○店様（販売店）又は／及びキャンペーン対象の□□□□□□商品の□□□製造販売社様（メーカー）からのキャンペーンの提案を受ける。また、キャンペーンのスケジュール等の打ち合わせをする。
【００３５】
＜ステップＳ２＞
提案や打ち合わせにより、キャンペーンスケジュールを決定する。
【００３６】
＜ステップＳ３＞
提案や打ち合わせ等により、キャンペーン実施内容や、キャンペーンツール等を決定する。
【００３７】
＜ステップＳ４＞
キャンペーンスケジュールに沿ってキャンペーンツールの制作を開始し、まず、キャンペーン実施事務局は、予め決められた制作社（キャンペーン実施事務局又は他社）にツール制作のためのツールの構造設計図、ツール原稿（印刷、加工用）の作成を発注する。
【００３８】
＜ステップＳ５＞
制作社は、作成されたツール設計図、ツール原稿を、キャンペーン実施事務局［例えば○○○○店様（販売店）又は／及びキャンペーン対象の□□□□□□商品の□□□製造販売社様（メーカー）］に提示（出稿）し、修正、校正を受けて校了の確認を採る。
【００３９】
＜ステップＳ６＞
キャンペーン実施事務局は、制作社に校了となったツール設計図、ツール原稿に基づいてツールの制作、印刷、加工を発注し、制作社は、「応募はがき」、「トップボード」、「短冊ポスター」、「ポスター（Ａ２判サイズ）」、「スイング形式ＰＯＰ（アイキャッチャー）」、商品、棚等の「仕切りＰＯＰ」等のキャンペーンツールをキャンペーン実施事務局に納入する。
【００４０】
＜ステップＳ７＞
キャンペーン実施事務局は、納入されたキャンペーンツールを○○○○店様（販売店）の店頭に設営してキャンペーン（ＣＰ）を開始し、キャンペーン対象の□□□□□□商品又はキャンペーン対象の□□□□□□商品を含む０，０００円以上の商品を購入したお客様に、レシート（領収書）と共にキャンペーン用の「応募はがき」を渡す。お客様は、持ち帰った「応募はがき」に、レシート（領収書）を貼付して投函し、郵送により、キャンペーン実施事務局宛てに応募する。
【００４１】
＜ステップＳ８＞
キャンペーン実施事務局は、キャンペーン期間最終日（当日消印有効）までに投函されて送達された各お客様からの「応募はがき」の中から抽選により当選者を決定する。
【００４２】
＜ステップＳ９＞
キャンペーン実施事務局は、当選したお客様宛に景品を発送する。（当選は景品の発送をもって発表にかえる。）
次に、本発明の多品種小ロットキャンペーン企画ツール制作実施システムの全般を、図４に示すネットワークシステムブロック図に基づいて以下に詳細に説明すれば、キャンペーン実施社（キャンペーンツール発注社）であるキャンペーン商品の小売り販売を担当する○○○○店様（販売店）又は／及びそのキャンペーン商品の製造、卸販売を担当する□□□製造販売社様（メーカー）側のパソコン等の端末機Ａ（Ａ1 、Ａ2 、Ａ3 、・・・Ａn ）と、他の共同実施社側のパソコン等の端末機Ｂ（Ｂ1 、Ｂ2 、Ｂ3 、・・・Ｂn ）と、必要に応じて端末機Ａに接続してアプリケーション動作をするサーバＳ（各端末機（クライアント）の要求指示によりデータベース内のデータを各端末機に配信するＰＣサーバー、メールサーバー、プロキシサーバー等）と、該サーバＳに接続するデータベースＤＢ（外部記憶部）とを備え、各々端末機Ａ、Ｂ、及びサーバＳは、イントラネット等の社内ネットワークＮIR（ＬＡＮ）にてネットワーク接続している。
【００４３】
また本発明システムは、図４に示すように、キャンペーンの実施社側の前記各々端末機Ａ、Ｂ、及びサーバＳが、インターネット等のネットワーク通信回線Ｎを介して、そのキャンペーンに使用するキャンペーンツールのデザイン制作を担当するツールデザイン制作社側のパソコン等の端末機Ｃ（Ｃ1 、Ｃ2 、Ｃ3 、・・・Ｃn ）と、そのキャンペーンに使用するキャンペーンツールの制作加工を担当するツール制作社側のパソコン等の端末機Ｄ（Ｄ1 、Ｄ2 、Ｄ3 、・・・Ｄn ）とにネットワーク接続している。
【００４４】
本発明システムにおける各端末機Ａ、Ｂ、Ｃ、Ｄは、インターネットＮITを介して電子メールにて又はキャンペーン実施社又は共同実施社、あるいはキャンペーン企画提供社がインターネットＮITのウエブ上に開設したホームページなどにてネットワーク接続している。
【００４５】
前記各端末機Ａ、Ｂ、Ｃ、Ｄにネットワーク接続する前記データサーバＳ及びデータベースＤＢは、前記端末機Ａ（Ａ1 、Ａ2 、Ａ3 、・・・Ａn ）のいずれかの１台に接続、又は前記端末機Ａ（Ａ1 、Ａ2 、Ａ3 、・・・Ａn ）をネットワーク接続するイントラネットＮIRによるネットワークを介して接続していて、各端末機Ａ、Ｂ、Ｃ、Ｄにネットワーク接続しているか、あるいは前記データサーバＳ及びデータベースＤＢは、インターネットＮITによるネットワーク上のウエブサイトを介して接続していて、各端末機Ａ、Ｂ、Ｃ、Ｄにネットワーク接続している。
【００４６】
次に、本発明システムにおけるキャンペーン実施社（ツール発注社）と、ツールデザイン制作社と、ツール制作社（受注社）の各々端末機の詳細を、図５に示すシステムブムック図に基づいて説明する。
【００４７】
キャンペーン実施社側のパソコン等の端末機Ａ（Ａ1 、Ａ2 、Ａ3 、・・・Ａn ）には図５に示すように、キャンペーン実施社（発注社）がキャンペーンサービス提供社又はキャンペーンツール制作社（ツールデザイン受注社、ツール制作受注社）に対して、互いにキャンペーンツールの構造デザインのオリエンテーションとプレゼンテーション等の打合せを行って、ツール構造（設計）デザインデータ、ツール原稿データ（ＰＤＦデータ）を作成し、決定するキャンペーン企画＆ツールデザイン作成手段１（実施社発注手段を兼ねる）と、その実施社がキャンペーンスケジュールの作成、ツールの発注指示、ツールの校正データ入力等のキャンペーン対象商品に関するデータを登録する商品データ登録手段２と、実施社がキュンペーン業務のスケジュールを管理するスケジュール管理手段３と、前記ツールデザイン作成手段１により作成進行中又は最終決定（校了）したそれぞれツールの構造・デザイン・原稿データを実施社が登録するデータ登録手段４とを備える。
【００４８】
また前記端末機Ａには、登録された各々ツールの構造・設計・デザイン・原稿データを比較してツール構造・デザイン・原稿の校正データとその進行状況と最終決定（校了）を確認する作成進行データ確認手段５と、前記作成進行データ確認手段５により確認されたツールの構造・デザイン・原稿の校正データ（ＰＤＦデータ）に基づいて実施社が修正・校了（責了）の指示を行う修正・校正・校了指示手段６を備える。
【００４９】
また前記キャンペーン実施社の端末機Ａには、前記商品データ登録手段２、スケジュール管理手段３、データ登録手段４、作成進行データ確認手段５などにより得られるツールの構造・デザインデータ、ツール制作スケジュールデータ、登録データ、作成進行（進捗）内容データ等を、実施社の社内担当者が各々端末機Ａ（Ａ1 、Ａ2 、Ａ3 、・・・Ａn ）にてイントラネット等の社内ネットワークＮIRを介して同時に閲覧するための社内閲覧手段７を備える。
【００５０】
また、社内ネットワークＮIRを介して互いに接続された前記端末機Ａ（Ａ1 、Ａ2 、Ａ3 、・・・Ａn ）及びデータベースＤＢを接続したサーバーＳ（ＰＣサーバー又はメールサーバー等）は、インターネット等のグローバルネットワークＮITを介して、キャンペーン共同実施社（共同発注社）の端末機Ｂと、ツールデザイン・設計社の端末機Ｃと、ツール制作社の端末機Ｄにそれぞれネットワーク接続している。
【００５１】
なお本発明システムにおける上記ツールデザイン・設計作成手段１、商品データ登録手段２、スケジュール管理手段３と、データ登録手段４、作成進行データ確認手段５、修正・校正・校了指示手段６、社内閲覧手段７など各手段は、実施社内の各端末機Ａ（Ａ1 、Ａ2 、Ａ3 、・・・Ａn ）及び共同実施社内の各端末機Ｂ（例えばパソコンＢ1 、Ｂ2 、Ｂ3 、・・・Ｂn ）の制御動作用マルチプロセッサーやＯＳ（オペレーティングシステム）をアプリケーションプログラムソフトなどにより制御動作させることにより駆動させることができる。
【００５２】
また、本発明システムにおいては、キャンペーン共同実施社の端末機Ｂ（Ｂ1 、Ｂ2 、Ｂ3 、・・・Ｂn ）にも端末機Ａと同様の上記各手段を搭載させるようにしてもよい。
【００５３】
次に本発明システムによるシステム動作を、図５に示すシステムブロック図、及び図６〜図８に示すシステムフローチャート図に基づいて以下に説明する。
【００５４】
＜ステップＳ１＞
キャンペーン実施社（発注社）は、社内の端末機Ａ（例えば端末機Ａ1 、Ａ2 、Ａ3 、・・・Ａn ）にて、予め登録設定されているアクセス相手方のドメイン又はＩＤコードやパスワード又はメールアドレスを入力して、そのキャンペーン共同実施社（共同発注社）の端末機Ｂ、ツールデザイン社（受注社）の端末機Ｃ、ツール制作社（受注社）あるいはキャンペーン企画サービス提供社（受注社）の端末機Ｄに、又はその端末機Ｂ、Ｃ、Ｄのうちのいずれかに、ネットワークを介してアクセスする。
【００５５】
＜ステップＳ２＞
続いてキャンペーン実施社は、端末機Ａにて、キャンペーン商品のキャンペーン企画、キャンペーンツールの構造デザインなどに関して、互いに端末機Ｂ、Ｃ、Ｄを用いて打合せ、前記端末機Ａのデザイン作成手段１にてキャンペーンの企画、キャンペーンツールの構造デザイン、ツールの原稿データを作成し、決定する。なお、この作成決定の際は、必要に応じて、予め登録設定されているアクセス相手方の互いのドメイン又はＩＤコードやパスワード又はメールアドレスを入力して、端末機Ａと端末機Ｂ、Ｃ、Ｄとの間で、互いに繰り返しアクセスし合って作成し決定する。
【００５６】
＜ステップＳ３＞
決定したキャンペーン企画、キャンペーンツールの構造デザイン、ツール原稿などキャンペーン商品に関するキャンペーン商品データを、前記端末機Ａの商品データ登録手段２にて、データベースＤＢに登録する。
【００５７】
＜ステップＳ４＞
登録したキャンペーン商品データに基づいて、前記端末機Ａのスケジュール管理手段３にて、キャンペーン企画、キャンペーンツール制作、キャンペーン実施のためのスケジュールを管理をするためのスケジュール管理データやスケジュール表を作成する。
【００５８】
＜ステップＳ５＞
前記デザイン作成手段１にて作成進行中のキャンペーン企画、ツールの構造デザイン、原稿データ、あるいは校正中又は最終決定（校了）のキャンペーン企画、ツールの構造デザイン、原稿データを、作成進行中、校正中、最終決定済みの各項目毎に、前記端末機Ａのデータ登録手段４にてデータベースＤＳに登録する。
【００５９】
＜ステップＳ６＞
データ登録手段４にてデータベースＤＳに登録された作成進行中又は校正中又は最終決定されたツールの構造、デザイン、原稿データ、校正データなどのデータ、及び作成進行中又は校正中又は最終決定済みの各進行状況を、前記端末機Ａの作成進行データ確認手段５にて読み出して確認する。
【００６０】
＜ステップＳ７＞
前記端末機Ａの商品データ登録手段２、スケジュール管理手段３、データ登録手段４、作成進行データ確認手段５などにより得られたツールの構造・デザインデータ、ツール制
作スケジュールデータ、作成進行中（校正中）の登録データ、又は最終決定済みの登録データなど、作成進行（進捗）内容等の登録データを、実施社の前記端末機Ａの社内閲覧手段７又は／及び共同実施社の前記端末機Ｂの社内閲覧手段７にて、イントラネット等の社内ネットワークＮIRを介して読み出して閲覧する。
【００６１】
＜ステップＳ８＞
実施社は、前記作成進行データ確認手段５により確認された現時点のツールの構造・デザイン・原稿データ等の登録データに基づいて、前記実施社の端末機Ａからキャンペーンツールデザイン社、ツール制作社、キャンペーン企画提供社の前記端末機Ｃ、Ｄに対してアクセスして、端末機Ａの修正・校正・校了指示手段６にて修正や変更、校正、校了（責了）などの指示を行う。
【００６２】
＜ステップＳ９＞
前記端末機Ａの修正・校正・校了指示手段６にて修正、変更、校正の指示がされた場合には、ステップＳ１０に進み、校了（責了）の指示がされた場合には、後段のステップＳ１２に進む。
【００６３】
＜ステップＳ１０＞
指示された修正、変更や校正の指示内容に基づいて、前記デザイン作成手段１にて既に作成決定されているキャンペーンの企画、キャンペーンツールの構造デザイン、ツール原稿データなどの登録データを、前記端末機Ｃ、Ｄにて読み出し確認しながら、登録されているキャンペーンの企画、キャンペーンツールの構造デザイン、ツール原稿データの修正、変更、校正を行う。
【００６４】
＜ステップＳ１１＞
前記端末機Ｃ、Ｄにて修正、変更、校正されたキャンペーンの企画、キャンペーンツールの構造デザイン、ツール原稿等の修正、変更、校正データを前記端末機Ａに送信し、該データに基づいて、該端末機Ａのデザイン作成手段１にて修正、変更、校正されたキャンペーンの企画、キャンペーンツールの構造デザインを作成決定して、前段のステップＳ３に戻る。
【００６５】
＜ステップＳ１２＞
前段のステップ９にて前記端末機Ｃ、Ｄが受信した校了（責了）となったキャンペーンの企画、キャンペーンツールの構造デザイン、ツール原稿に基づいて、ツール制作社、キャンペーン企画提供社がキャンペーンツールの制作を開始する。
【００６６】
＜ステップＳ１３＞
データ登録手段４にて登録された作成進行中又は校正中のツール制作進行状況を前記端末機Ａの作成進行データ確認手段５にて制作完了、キャンペーン開始まで確認する。
【００６７】
＜ステップＳ１４＞
前記端末機Ａの作成進行データ確認手段５にて、ツール制作進行状況が作成進行中又は校正中であってツール制作完了、キャンペーン開始が確認されなければ、前段のステップＳ１３に戻り、制作完了、キャンペーン開始が確認された場合には、システム動作を終了する。
【図面の簡単な説明】
【００６８】
【図１】本発明システムにおける実施対象のキャンペーンのうち、はがき応募型キャンペーンにおけるキャンペーン商品購入者とキャンペーン事務局との間のやり取りを説明するフローチャート図の一例。
【図２】本発明システムにおいて実施対象のはがき応募型キャンペーン案（企画案）の一例を説明するリスト形式の企画表。
【図３】本発明システムにおいて実施対象のはがき応募型のキャンペーン業務の実施形態の一例を示すフローチャート図。
【図４】本発明システムにおけるネットワークの全般を説明するシステムブロック図。
【図５】本発明システムにおけるシステム動作を説明するシステムブロック図。
【図６】本発明システムにおいてシステム動作を説明するフローチャート図。
【図７】本発明システムにおいてシステム動作を説明するフローチャート図。
【図８】本発明システムにおいてシステム動作を説明するフローチャート図。
【符号の説明】
【００６９】
Ａ（Ａ1 、Ａ2 、Ａ3 、・・・Ａn ）…キャンペーン実施社の端末機
Ｂ（Ｂ1 、Ｂ2 、Ｂ3 、・・・Ｂn ）…キャンペーン共同実施社の端末機
Ｃ…（Ｃ1 、Ｃ2 、Ｃ3 、・・・Ｃn ）キャンペーンツールデザイン社
Ｄ（Ｄ1 、Ｄ2 、Ｄ3 、・・・Ｄn ）…キャンペーンツール制作社、キャンペーン企画サービス提供社
Ｓ…サーバ
ＤＳ…データベース
１…キャンペーン企画＆ツールデザイン作成手段
２…商品データ登録手段
３…スケジュール管理手段
４…データ登録手段
５…作成進行データ確認手段
６…修正・校正・校了指示手段
７…社内閲覧手段
ＮIR…イントラネット
ＮIT…インターネット
【図１】
2008234121.tif 000003
【図２】
2008234121.tif 000004
【図３】
2008234121.tif 000005
【図４】
2008234121.tif 000006
【図５】
2008234121.tif 000007
【図６】
2008234121.tif 000008
【図７】
2008234121.tif 000009
【図８】
2008234121.tif 000010